(57)【要約】【課題】  ユーザにとって、放送番組視聴中の移動時における映像表示装置の電源操作やチャンネル操作が煩雑であることが問題になっていた。このため、映像表示装置におけるユーザ操作の煩雑さを低減することが課題になっていた。【解決手段】  実施形態の映像表示装置は、放送番組の出力中に、予め設定されたユーザを検出するユーザ検出部を備える。  また、前記ユーザが検出された場合に、その後、前記ユーザが検出されなくなったことを検出するユーザ不在検出部を備える。  また、前記ユーザが検出されなくなったことが検出された場合に、前記出力中の放送番組の受信情報を前記ユーザと関連付けて出力し、自機器の主電源をＯＦＦにする受信情報出力部を備える。【選択図】  図１
2013153343.tif 000002
【特許請求の範囲】
【請求項１】
放送番組の出力中に、予め設定されたユーザを検出するユーザ検出部と、
前記ユーザが検出された場合に、その後、前記ユーザが検出されなくなったことを検出するユーザ不在検出部と、
前記ユーザが検出されなくなったことが検出された場合に、前記出力中の放送番組の受信情報を前記ユーザと関連付けて出力し、自機器の主電源をＯＦＦにする受信情報出力部を備える映像表示装置。
【請求項２】
自機器の主電源がＯＦＦの状態で前記予め設定されたユーザを検出し、前記ユーザが検出された場合は、前記自機器の主電源がＯＮになるように制御する電源制御部を備える請求項１に記載の映像表示装置。
【請求項３】
自機器の主電源がＯＦＦの状態で前記ユーザが検出された場合は、前記ユーザと関連付けられた前記受信情報を取得し、この受信情報に基づいて所定の放送番組を受信する放送受信部を備える請求項２に記載の映像表示装置。
【請求項４】
撮像部を備え、前記ユーザの検出および前記ユーザが検出されなくなったことの検出に前記撮像部が用いられる請求項１乃至３のいずれかに記載の映像表示装置。
【請求項５】
他の映像表示装置とネットワークで接続され、前記受信情報を前記他の映像表示装置に向けて出力する請求項１乃至３のいずれかに記載の映像表示装置。
【請求項６】
前記ネットワークで接続される機器を指定可能な指定部を備える請求項５に記載の映像表示装置。
【請求項７】
前記ユーザの設定が可能なユーザ設定部を備える請求項１乃至３のいずれかに記載の映像表示装置。
【請求項８】
放送番組の出力中に、予め設定されたユーザを検出するステップと、
前記ユーザが検出された場合に、その後、前記ユーザが検出されなくなったことを検出するステップと、
前記ユーザが検出されなくなったことが検出された場合に、前記出力中の放送番組の受信情報を前記ユーザと関連付けて出力し、自機器の主電源をＯＦＦにするステップを備える映像表示方法。
【請求項９】
放送番組の出力中に、予め設定されたユーザを検出するステップと、
前記ユーザが検出された場合に、その後、前記ユーザが検出されなくなったことを検出するステップと、
前記ユーザが検出されなくなったことが検出された場合に、前記出力中の放送番組の受信情報を前記ユーザと関連付けて出力し、自機器の主電源をＯＦＦにするステップを備え、映像表示装置を制御する映像表示装置の制御プログラム。
【発明の詳細な説明】
【技術分野】
【０００１】
本発明の実施形態は、映像表示装置、映像表示方法、映像表示装置の制御プログラムに関する。
【背景技術】
【０００２】
近年、映像表示装置の普及が進み、複数の映像表示装置を備える家庭も珍しくなくなっている。
【０００３】
このように、家庭内で複数の映像表示装置を備えるような環境においては、例えば、ユーザが、ある場所（例えば、部屋Ａ）にある、ある映像表示装置で放送番組を視聴中に、所用等で他の場所（例えば、部屋Ｂ）に移動し、この移動先（部屋Ｂ）にある他の映像表示装置を用いて、上記放送番組の視聴を行なうということも行なわれている。
【０００４】
このような場合には、例えば、ユーザは、逐次、上記ある場所（部屋Ａ）にある映像表示装置の電源のＯＦＦ操作を行なったり、上記移動先（部屋Ｂ）にある他の映像表示装置の電源のＯＮ操作や、上記放送番組に放送チャンネルを合わせたりする操作を行なう必要があった。
【０００５】
このため、ユーザにとり、上記映像表示装置の電源ＯＮやＯＦＦ操作やチャンネル操作が煩雑であることが問題になっていた。
【０００６】
このため、映像表示装置におけるユーザ操作の煩雑さを低減することが課題になっていた。
【先行技術文献】
【特許文献】
【０００７】
【特許文献１】特開２００４−８０３８２号公報
【発明の概要】
【発明が解決しようとする課題】
【０００８】
ユーザにとって、放送番組視聴中の移動時における映像表示装置の電源操作やチャンネル操作が煩雑であることが問題になっていた。このため、映像表示装置におけるユーザ操作の煩雑さを低減することが課題になっていた。
【課題を解決するための手段】
【０００９】
実施形態の映像表示装置は、放送番組の出力中に、予め設定されたユーザを検出するユーザ検出部を備える。
【００１０】
また、前記ユーザが検出された場合に、その後、前記ユーザが検出されなくなったことを検出するユーザ不在検出部を備える。
【００１１】
また、前記ユーザが検出されなくなったことが検出された場合に、前記出力中の放送番組の受信情報を前記ユーザと関連付けて出力し、自機器の主電源をＯＦＦにする受信情報出力部を備える。
【図面の簡単な説明】
【００１２】
【図１】実施形態に係わる映像表示装置の動作の一例を示す図。
【図２】実施形態に係わる映像表示装置に係る放送番組受信情報ネットワークの一例を示す図。
【図３】実施形態に係わる映像表示装置の外観を示す図。
【図４】実施形態に係わる映像表示装置の構成を示すブロック図。
【図５】実施形態に係わる映像表示装置の表示画面に出力される番組受信情報システム設定入力画面の一例を示す図。
【図６】実施形態に係わる映像表示装置の表示画面に出力される、ユーザを予め設定するユーザ設定入力画面の一例を示す図。
【図７】実施形態に係わる映像表示装置において、番組視聴中に、設定されたユーザが検出されなくなった場合の動作を説明するフローチャート。
【図８】実施形態に係わる映像表示装置において、設定されたユーザの移動先において、ユーザが検出された場合の動作を説明するフローチャート。
【発明を実施するための形態】
【００１３】
以下、図面を参照し、実施の形態を説明する。
【００１４】
図１は、実施形態に係わる映像表示装置の動作の一例を示す図である。
【００１５】
この実施形態においては、例えば、上記のように、家庭内や特定の施設内等で複数の映像表示装置が備えられている。
【００１６】
そして、例えば、ユーザが、ある場所にある、ある映像表示装置で放送番組を視聴中に、所用等で他の場所に移動し、移動先にある他の映像表示装置を用いて、上記放送番組の視聴が行なわれる。
【００１７】
図１（ａ）は、部屋Ａで上記放送番組を視聴している視聴者、すなわち、ユーザ（Ａさん）が、この放送番組の視聴中に、部屋Ａから部屋Ｂへ移動する前のようすを示している。
【００１８】
図１（ａ）では、ユーザ（Ａさん）は、例えば、撮像部を備える映像表示装置１Ａによって、部屋Ａ（映像表示装置１Ａの近傍）にいることが検出されている。そして、映像表示装置１Ａは主電源がＯＮにされ、上記視聴中の放送番組が映像表示装置１Ａから表示出力されている。
【００１９】
このとき、部屋Ｂ（映像表示装置１Ｂの近傍）では、例えば、撮像部を備える映像表示装置１Ｂによって、ユーザ（Ａさん）は検出されていない。
【００２０】
このため、映像表示装置１Ｂは主電源がＯＦＦ状態である。そして、映像表示装置１Ｂから放送番組は表示出力されていない。
【００２１】
また、図１（ｂ）は、上記ユーザ（Ａさん）が、この放送番組の視聴中に、部屋Ａから部屋Ｂへ移動した後のようすを示している。
【００２２】
図１（ｂ）では、ユーザ（Ａさん）は、映像表示装置１Ａによって、部屋Ａ（映像表示装置１Ａの近傍）にいないことが検出されている。
【００２３】
このため、映像表示装置１Ａの主電源はＯＦＦ状態である。そして、放送番組は映像表示装置１Ａから表示出力されていない。
【００２４】
このとき、部屋Ｂ（映像表示装置１Ｂの近傍）では、映像表示装置１Ｂによって、ユーザ（Ａさん）が検出されている。
【００２５】
このため、映像表示装置１Ｂは主電源がＯＮ状態である。そして、映像表示装置１Ｂから上記放送番組が表示出力されている。
【００２６】
すなわち、この実施形態においては、ユーザ（Ａさん）が映像表示装置１Ａの近傍にいないことが検出されると、映像表示装置１Ａの主電源がＯＦＦにされる。
【００２７】
また、ユーザ（Ａさん）が映像表示装置１Ｂの近傍にいることが検出されると、映像表示装置１Ｂの主電源がＯＮにされ、上記映像表示装置１Ａで表示出力されていた放送が選局され、上記放送番組が映像表示装置１Ｂに表示出力される。
【００２８】
また、この実施形態においては、上記とは反対に、部屋Ｂから部屋Ａへの移動についても同様に適用される。
【００２９】
すなわち、ユーザ（Ａさん）が、部屋Ｂにおいて放送番組を視聴中に、部屋Ｂから部屋Ａへ移動する場合についても、上記と同様の動作が行なわれる。
【００３０】
例えば、ユーザ（Ａさん）が、部屋Ｂにおいて放送番組を視聴中に、部屋Ｂから部屋Ａへ移動すると、映像表示装置１Ｂにより、ユーザ（Ａさん）が映像表示装置１Ｂの近傍にいないことが検出される。
【００３１】
すると、映像表示装置１Ｂの主電源がＯＦＦにされる。
【００３２】
また、ユーザ（Ａさん）が部屋Ａへ移動し、ユーザ（Ａさん）が映像表示装置１Ａの近傍にいることが検出されると、映像表示装置１Ａの主電源がＯＮにされ、上記映像表示装置１Ｂで表示出力されていた放送が選局され、上記放送番組が映像表示装置１Ａに表示出力される。
【００３３】
図２は、実施形態に係わる映像表示装置に係る放送番組受信情報ネットワークの一例を示す図である。
【００３４】
この実施形態に係る映像表示装置は、図２に示すように、ネットワークで接続される。このネットワークは、有線で接続されても良いし、無線で接続されても良い。
【００３５】
ここでは、放送番組の受信情報の通信を行なうネットワークがシステム構成され、例えば、映像表示装置１Ａと映像表示装置１Ｂがサーバ２７を介してネットワーク接続されている。
【００３６】
図３は、実施形態に係わる映像表示装置の外観を示す図である。
【００３７】
例えば、ユーザによってリモコン（リモートコントローラ）２１が操作され、映像表示装置１Ａに向けてリモコン信号が出力される。
【００３８】
このリモコン２１から出力されたリモコン信号が映像表示装置１Ａの操作受信部２０で受信される。
【００３９】
リモコン信号を受信した映像表示装置１Ａは、このリモコン信号の指示によって動作し、例えば、ＬＣＤ（Ｌｉｑｕｉｄ  Ｃｒｙｓｔａｌ  Ｄｉｓｐｌａｙ、液晶ディスプレイ）等で構成される表示画面８に、所定の映像を表示出力する。
【００４０】
また、この実施形態に係る映像表示装置１Ａは、撮像装置（カメラ）３０Ａを備えており、映像表示装置１Ａの近傍を撮像する。
【００４１】
また、この実施形態に係る映像表示装置１Ａは、上記のように、放送番組受信情報ネットワーク（システム）を介して、他の映像表示装置１Ｂと互いに接続され、放送番組の受信情報の通信を行なうことが可能である。
【００４２】
そして、撮像装置（カメラ）３０Ａで、例えば、映像表示装置１Ａの近傍（前等）にいるユーザを撮影し、このシステムが適用されることが予め設定されたユーザであるか、この予め設定されたユーザがこの撮像範囲から検出されなくなったか等を検出する。
【００４３】
また、この映像表示装置１Ａは、例えば、ＵＳＢ端子等で外付けされる外部記憶機器（ＨＤＤ等）１９を備えている。
【００４４】
また、この映像表示装置１Ａは、内部記憶機器１７（図４）や外部記憶機器１９を備え、複数の放送番組を同時に受信し、例えば、２４時間分等、連続的に録画する機能（丸録り）を備えている。
【００４５】
このため、これらの録画番組をタイムシフトで再生するタイムシフト再生機能も備えている。
【００４６】
図４は、実施形態に係わる映像表示装置の構成の一例を示すブロック図である。
【００４７】
この実施形態においては、制御部１１はＣＰＵ（１２）を備えている。ＣＰＵ（１２）は映像表示装置１Ａを制御する。
【００４８】
また、ＲＡＭ（１３）、ＲＯＭ（１４）、フラッシュメモリ１５は、例えば、制御部１１で行われる処理に利用される。
【００４９】
また、フラッシュメモリ１５は、このシステムに設定される機器の情報や予め設定されるユーザの情報を記憶することも可能である。
【００５０】
そして、例えば、放送局２５からデジタル放送で映像コンテンツが放送される。放送局２５から放送されたデジタル放送はチューナ３で受信され、選局処理が行われ、デジタル信号の映像コンテンツが信号処理部４に送信される。
【００５１】
信号処理部４で受信されたデジタル信号の映像コンテンツは信号処理が施され、音声処理部６および映像処理部５に送信される。
【００５２】
音声処理部６は、信号処理が施された映像コンテンツを受信し、音声処理を施した信号をスピーカ９に送信する。
【００５３】
スピーカ９は、音声処理が施された信号を受信し、音声を出力する。
【００５４】
また、映像処理部５は、信号処理が施された映像コンテンツを受信し、映像処理を施した信号を表示装置７に送信する。
【００５５】
表示装置７は、映像処理が施された信号を受信し、ＬＣＤパネル等で構成される表示画面（映像表示部）８に映像を表示する。
【００５６】
また、この実施の形態においては、映像表示装置１Ａは内部記憶装置１７を備えている。この内部記憶装置１７は、上記外部記録機器１９と同様に、受信した放送番組を丸録りし、タイムシフト再生することが可能である。
【００５７】
また、この実施の形態においては、映像表示装置１Ａは、上記のようにＵＳＢ接続やＬＡＮ接続される外部記憶機器１９を備えている。上記受信された映像コンテンツはこの外部記憶機器１９に記録することも可能である。
【００５８】
また、この実施の形態においては、映像表示装置１Ａは、上記撮像部３０Ａを備え、ユーザを撮像することが可能である。
【００５９】
また、上記のように、映像表示装置１Ａに対するユーザの操作は、例えばリモコン（リモートコントローラ）２１等の操作機器によって指示される。
【００６０】
これらの処理は、上記のように、制御部１１に制御される。
【００６１】
また、映像表示装置１Ａは、送受信部（ネットワークインターフェース）２２、ネットワーク２６を介してサーバ２７に接続され、例えば、図２に示すように映像表示装置１Ｂとネットワークで接続される。
【００６２】
図５は、実施形態に係わる映像表示装置の表示画面に出力される番組受信情報システム設定入力画面の一例を示す図である。
【００６３】
この実施形態においては、映像表示装置１Ａは、放送番組の出力中、例えば、ユーザ（視聴者）が放送番組を視聴中に、上記撮像部３０Ａを用いて映像表示装置１Ａ近傍（前東）の撮像を行ない、例えば、制御部１１に指示され、予め設定されたユーザを検出する。
【００６４】
そして、この予め設定されたユーザが検出された場合に、その後、上記と同様に、上記撮像部３０Ａを用いて映像表示装置１Ａ近傍（前東）の撮像を行ない、上記予め設定されたユーザが検出されなくなったことを検出する。
【００６５】
そして、上記予め設定されたユーザが検出されなくなったことが検出された場合に、上記出力中の放送番組の受信情報を前記ユーザと関連付けて出力する。
【００６６】
また、自機器（映像表示装置１Ａ）の主電源をＯＦＦにする。
【００６７】
ここでは、映像表示装置１Ａの表示画面８に、番組受信情報システムに設定可能な機器が表示されている。
【００６８】
ここで、番組受信情報とは、上記ユーザと関連付けて出力された、上記出力（視聴）中の放送番組の受信情報である。
【００６９】
この受信情報は、例えば、上記出力（視聴）中の放送番組のＥＰＧ（Ｅｌｅｃｔｒｏｎｉｃ  Ｐｒｏｇｒａｍ  Ｇｕｉｄｅ、電子番組表）情報等を利用することが可能である。
【００７０】
上記ＥＰＧ情報には、例えば、放送局の情報、番組の名前、番組の開始時刻、終了時刻等が記載されており、後述する移動先機器（例えば、映像表示装置Ｂ等）における選局処理等に利用される。
【００７１】
そして、この実施形態においては、表示画面８に「番組受信情報システム設定」と表示され、また、「システムに設定する機器を指定してください」と表示され、ユーザに対して、この番組受信情報システムで動作する機器の指定が促されている。
【００７２】
ここでは、ＴＶ１Ａ（自機器）５１とＴＶ１Ｂ５２が指定され、ＴＶ１Ｃ５３は指定されていない。
【００７３】
そして、ＴＶ１Ａ（自機器）５１とＴＶ１Ｂ５２がネットワーク接続されていることを示す表示５０が表示されている。
【００７４】
これらの番組受信情報システムに設定される機器情報は、映像表示装置１Ａ内部の上記フラッシュメモリ１５に記憶される。あるいは、映像表示装置１Ａに接続されるサーバ２７に記憶することも可能である。
【００７５】
図６は、実施形態に係わる映像表示装置の表示画面に出力される、ユーザを予め設定するユーザ設定入力画面の一例を示す図である。
【００７６】
この実施形態においては、表示画面８に「ユーザ設定」および「システムを使用するユーザを設定してください」と表示され、ユーザに対して、特定のユーザを予め設定するよう促されている。
【００７７】
ここでは、ユーザＡ６１が、特定ユーザとして予め設定されている。なお、特定ユーザは、ユーザＡ６１の他に、ユーザＢ６２、ユーザＣ６３等、複数のユーザを設定することが可能であるが、ここでは、説明のためにユーザＡ６１が設定されている。
【００７８】
この設定は、映像表示装置１Ａ内部の上記フラッシュメモリ１５、あるいは、映像表示装置１Ａに接続されるサーバ２７に記憶される。
【００７９】
すなわち、この実施形態においては、上記ネートワークシステムの機能が適用されるユーザが、予め設定され、上記と同様に、映像表示装置１Ａ内部の上記フラッシュメモリ１５、あるいは、映像表示装置１Ａに接続されるサーバ２７に記憶される。
【００８０】
なお、この実施形態においては、上記ユーザの設定において、例えば、撮像装置（３０Ａ）で撮像された撮像画像を制御部１１等の指示で解析し、顔認識技術等によって、予めユーザ設定を行なうようにすることも可能である。
【００８１】
顔認識技術は、例えば、上記撮像画像内の顔と思われる部分を抜き出し、映像表示装置１Ａやサーバ２７等に記憶された顔面画像データベースと比較することで識別を行う技術である。
【００８２】
図７は、実施形態に係わる映像表示装置において、番組視聴中に、設定されたユーザが検出されなくなった場合の動作を説明するフローチャートである。
【００８３】
ステップＳ１００は、ここでの開始ステップである。続いて、ステップＳ１０１に進む。
【００８４】
ステップＳ１０１は、例えば、ユーザ（Ａさん）が、リモコン２１等を操作し、映像表示装置１Ａの主電源をＯＮにするステップである。続いて、ステップＳ１０２に進む。
【００８５】
ステップＳ１０２は、例えば、前回放送を受信した放送局を選局して、この放送局で放送される放送を受信し、表示画面８に表示出力するステップである。続いて、ステップＳ１０３に進む。
【００８６】
ステップＳ１０３は、上記のように、ユーザ（例えば、ここでは、Ａさん）が、予め設定され、映像表示装置１Ａのフラッシュメモリ１５やサーバ２７に記憶されているかを検出するステップである。ユーザ（例えば、ここでは、Ａさん）が予め設定されていると検出される場合は、ステップＳ１０４に進む（Ｙｅｓ）。ユーザ（例えば、ここでは、Ａさん）が予め設定されていないと検出される場合は、ステップＳ１０２に戻り、上記処理を繰り返す（Ｎｏ）。
【００８７】
ステップＳ１０４は、例えば、撮像部３０Ａを用い、映像表示装置１Ａの前等の近傍を撮像するステップである。続いて、ステップＳ１０５に進む。
【００８８】
ステップＳ１０５は、例えば、上記撮像画像に、上記設定されたユーザ（例えば、Ａさん）は検出されたかを判別するステップである。上記撮像画像に、上記設定されたユーザ（例えば、Ａさん）は検出されたと判別された場合は、ステップＳ１０６に進む（Ｙｅｓ）。上記撮像画像に、上記設定されたユーザ（例えば、Ａさん）は検出されないと判別された場合は、ステップＳ１０２に戻り、上記処理を繰り返す（Ｎｏ）。
【００８９】
ステップＳ１０６は、例えば、上記予め設定され、上記のように検出されたユーザ（Ａさん）が、上記撮像部３０Ａの撮像範囲からいなくなり、検出されなくなったかを判別するステップである。
【００９０】
上記検出された設定ユーザ（Ａさん）が、上記撮像部３０Ａで検出されなくなった場合は、ステップＳ１０７に進む（Ｙｅｓ）。上記検出された設定ユーザ（Ａさん）が、上記撮像部３０Ａで検出されている場合は、ここでの処理を繰り返す（Ｎｏ）。
【００９１】
ステップＳ１０７は、例えば、上記のように検出されたユーザ（Ａさん）が、上記撮像部３０Ａの撮像範囲からいなく（例えば、部屋Ａからいなく）なり、検出されなくなった場合に、このとき表示出力されている放送番組の受信情報（例えば、ＥＰＧ情報等）を、ユーザ（Ａさん）と関連付けて、例えば、図５に示すようにシステム設定された機器（映像表示装置１Ｂ）やサーバ２７等に送信するステップである。続いて、ステップＳ１０８に進む。
【００９２】
ステップＳ１０８は、例えば、上記のように検出されたユーザ（Ａさん）が、上記撮像部３０Ａの撮像範囲からいなくなり、検出されなくなったことが判別された場合に、これに基づいて、映像表示装置１Ａの主電源をＯＦＦにするステップである。
【００９３】
このとき、この実施形態においては、次に設定ユーザ（Ａさん）が再び上記撮像部３０Ａの撮像範囲に入った場合に、設定ユーザ（Ａさん）を検出できるように、ユーザの検出（撮像）に必要な撮像装置３０Ａ等の電源は、ＯＦＦしないようにすることが望ましい。
【００９４】
続いて、ステップＳ１０９に進む。
【００９５】
ステップＳ１０９は、終了ステップであり、ここでの処理は終了する。
【００９６】
図８は、実施形態に係わる映像表示装置において、設定されたユーザの移動先において、ユーザが検出された場合の動作を説明するフローチャートである。
【００９７】
ここでは、映像表示装置１Ｂは、上記映像表示装置１Ａと同様に、主電源がＯＦＦになっている。また、設定ユーザ（Ａさん）が映像表示装置１Ｂの撮像部３０Ｂの撮像範囲に入った場合に、設定ユーザ（Ａさん）を検出できるように、撮像装置３０Ｂの制御に必要な電源は、ＯＦＦしないようになっている。
【００９８】
ステップＳ２００は、ここでの開始ステップである。続いて、ステップＳ２０１に進む。
【００９９】
ステップＳ２０１は、映像表示装置１Ｂが、撮像部３０Ｂで映像表示装置１Ｂ近傍（例えば、前）を撮像し、設定ユーザ（Ａさん）を検出するステップである。続いて、ステップＳ２０２に進む。
【０１００】
ステップＳ２０２は、設定ユーザ（Ａさん）は検出されたかを判別するステップである。設定ユーザ（Ａさん）は、映像表示装置１Ｂの撮像部３０Ｂを用い、検出されたと判別される場合は、ステップＳ２０３に進む（Ｙｅｓ）。設定ユーザ（Ａさん）は、映像表示装置１Ｂの撮像部３０Ｂを用い、検出されたと判別されない場合は、ステップＳ２０１に戻り、上記処理を繰り返す（Ｎｏ）。
【０１０１】
ステップＳ２０３は、例えば、上記設定ユーザ（Ａさん）の検出に応じて、映像表示装置１Ｂの主電源をＯＮにするステップである。続いて、ステップＳ２０４に進む。
【０１０２】
ステップＳ２０４は、上記フラッシュメモリ１５Ｂやサーバ２７に記憶されている設定ユーザ（Ａさん）の受信情報を取得するステップである。
【０１０３】
この受信情報は、上記のように、映像表示装置１Ａにおいて、設定ユーザ（Ａさん）が、上記撮像部３０Ａの撮像範囲からいなくなり、検出されなくなった場合に、ユーザ（Ａさん）と関連付けて、上記システム設定された機器（映像表示装置１Ｂ）やサーバ２７等に送信され、記憶された、ユーザ（Ａさん）が移動元機器（例えば、映像表示装置１Ａ）で視聴していた番組の視聴情報である。
【０１０４】
続いて、ステップＳ２０５に進む。
【０１０５】
ステップＳ２０５は、上記取得された受信情報を用いて放送局を選局して、ユーザ（Ａさん）が移動元機器（例えば、映像表示装置１Ａ）で視聴していた放送（放送番組）を受信し、表示画面８に表示出力するステップである。続いて、ステップＳ２０６に進む。
【０１０６】
ステップＳ２０６は、上記と同様に、予めこのシステムのユーザ設定がされているかを判別するステップである。このシステムのユーザ設定がされていると判別される場合は、ステップＳ２０７に進む（Ｙｅｓ）。このシステムのユーザ設定がされていないと判別される場合は、ステップＳ２０５に進み、上記処理を繰り返す（Ｎｏ）。
【０１０７】
ステップＳ２０７は、上記と同様に、撮像部３０Ｂで映像表示装置１Ｂの近傍（例えば、前）を撮像するステップである。続いて、ステップＳ２０８に進む。
【０１０８】
ステップＳ２０８は、上記撮像部３０Ｂでの撮像で、上記設定ユーザ（Ａさん）は検出されたかを判別するステップである。上記設定ユーザ（Ａさん）は検出されたと判別される場合は、ステップＳ２０９に進む（Ｙｅｓ）。上記設定ユーザ（Ａさん）は検出されたと判別されない場合は、ステップＳ２０５に進み、上記処理を繰り返す（Ｎｏ）。
【０１０９】
ステップＳ２０９は、例えば、上記予め設定され、上記のように検出されたユーザ（Ａさん）が、上記撮像部３０Ｂの撮像範囲からいなくなり、検出されなくなったかを判別するステップである。
【０１１０】
上記検出された設定ユーザ（Ａさん）が、上記撮像部３０Ｂで検出されなくなった場合は、ステップＳ２１０に進む（Ｙｅｓ）。上記検出された設定ユーザ（Ａさん）が、上記撮像部３０Ｂで検出されている場合は、ここでの処理を繰り返す（Ｎｏ）。
【０１１１】
ステップＳ２１０は、例えば、上記のように検出されたユーザ（Ａさん）が、上記撮像部３０Ｂの撮像範囲からいなく（例えば、部屋Ｂからいなく）なり、検出されなくなった場合に、このとき表示出力されている放送番組の受信情報（例えば、ＥＰＧ情報等）を、ユーザ（Ａさん）と関連付けて、上記システム設定された機器（映像表示装置１Ａ）やサーバ２７等に送信するステップである。
【０１１２】
続いて、ステップＳ２１１に進む。
【０１１３】
ステップＳ２１１は、例えば、上記のように検出されたユーザ（Ａさん）が、上記撮像部３０Ｂの撮像範囲からいなくなり、検出されなくなったことが判別された場合に、これに基づいて、映像表示装置１Ｂの主電源をＯＦＦにするステップである。
【０１１４】
このとき、この実施形態においては、上記と同様に、次に設定ユーザ（Ａさん）が再び上記撮像部３０Ｂの撮像範囲に入った場合に、設定ユーザ（Ａさん）を検出できるように、ユーザの検出（撮像）に必要な撮像装置３０Ｂ等の電源は、ＯＦＦしないようにすることが望ましい。
【０１１５】
続いて、ステップＳ２１２に進む。
【０１１６】
ステップＳ２１２は、終了ステップであり、ここでの処理は終了する。
【０１１７】
なお、上記説明においては、受信情報は、移動元機器（例えば、映像表示装置１Ａ）で視聴していた放送（放送番組）を受信し、表示画面８に表示出力するが、映像表示装置１Ｂは、上記映像表示装置１Ａと同様に、例えば、複数の放送番組を同時に受信し、例えば、２４時間分等、連続的に録画する機能（丸録り）を備えてもよい。
【０１１８】
この場合、映像表示装置１Ｂで録画された移動元機器（例えば、映像表示装置１Ａ）で視聴していた放送（放送番組）を、タイムシフトで再生することも可能である。
【０１１９】
すなわち、この実施形態に係る映像表示装置は、放送番組の出力中に、予め設定されたユーザを検出するユーザ検出部（撮像部３０Ａ、３０Ｂ等）を備える。
【０１２０】
また、上記ユーザが検出された場合に、その後、上記ユーザが検出されなくなったことを検出するユーザ不在検出部（撮像部３０Ａ、３０Ｂ等）を備える。
【０１２１】
また、上記ユーザが検出されなくなったことが検出された場合に、上記出力中の放送番組の受信情報を上記ユーザと関連付けて出力し、自機器の主電源をＯＦＦにする受信情報出力部（制御部１１等）を備える。
【０１２２】
また、自機器（例えば、映像表示装置１Ａ、映像表示装置１Ｂ等）の主電源がＯＦＦの状態で、上記予め設定されたユーザ（例えば、Ａさん）を検出し、上記ユーザが検出された場合は、上記自機器（例えば、映像表示装置１Ａ、映像表示装置１Ｂ等）の主電源がＯＮになるように制御する（制御部１１等）を備える。
【０１２３】
また、自機器（例えば、映像表示装置１Ａ、映像表示装置１Ｂ等）の主電源がＯＦＦの状態で上記ユーザが検出された場合は、上記ユーザと関連付けられた上記受信情報を取得し、この受信情報に基づいて所定の放送番組を受信する放送受信部を備える。
【０１２４】
また、撮像部（撮像装置３０Ａ、撮像装置３０Ｂ等）を備え、上記ユーザの検出および上記ユーザが検出されなくなったことの検出に上記撮像部（撮像装置３０Ａ、撮像装置３０Ｂ等）が用いられる。
【０１２５】
また、例えば、映像表示装置１Ａは他の映像表示装置１Ｂ等とネットワークで接続され、上記受信情報を上記他の映像表示装置に向けて出力する。
【０１２６】
また、図５に示すように、上記ネットワークで接続される機器を指定可能な指定部を備える。
【０１２７】
また、図６に示すように、上記ユーザの設定が可能なユーザ設定部を備える。
【０１２８】
上記のように構成することによって、この発明の実施の形態においては、映像表示装置におけるユーザ操作の煩雑さを低減することが可能になる。
【０１２９】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１３０】
なお、上記実施形態は、記述そのものに限定されるものではなく、実施段階では、その趣旨を逸脱しない範囲で、構成要素を種々変形して具体化することが可能である。
【０１３１】
また、上記実施形態に開示されている複数の構成要素の適宜な組み合せにより種々の発明を形成できる。
【０１３２】
例えば、実施形態に示される全構成要素から幾つかの構成要素を削除してもよい。更に、異なる実施形態に亘る構成要素を適宜組み合せてもよい。
【符号の説明】
【０１３３】
１Ａ…映像表示装置、１Ｂ…映像表示装置、２…アンテナ、３…チューナ、４…信号処理部、５…映像処理部、６…音声処理部、７…表示装置、８…表示画面（映像表示部）、９…スピーカ、１０…バス、１１…制御部、１２…ＣＰＵ、１３…ＲＡＭ、１４…ＲＯＭ、１５…フラッシュメモリ、１６…記憶部、１７…内部記録装置、１８…外部インターフェース、２５…放送局、２６…ネットワーク、２７…サーバ、３０Ａ…撮像部（カメラ）、３０Ｂ…撮像部（カメラ）。
【図１】
2013153343.tif 000003
【図２】
2013153343.tif 000004
【図３】
2013153343.tif 000005
【図４】
2013153343.tif 000006
【図５】
2013153343.tif 000007
【図６】
2013153343.tif 000008
【図７】
2013153343.tif 000009
【図８】
2013153343.tif 000010